(57)【要約】  位置検出システムは、位置を精度良く検出する。位置検出システムは、予め定められた位置に配置された複数の固定通信装置と、所定の送信パワーで出力される基準信号を複数の固定通信装置のそれぞれと無線通信する移動通信装置と、複数の固定通信装置の中から、移動通信装置との間で無線通信された基準信号の受信点における電波強度が予め定められた範囲外となっている固定通信装置を除外した複数の有効な固定通信装置を特定する特定部と、複数の有効な固定通信装置の位置、および、複数の有効な固定通信装置と移動通信装置との間で無線通信された複数の基準信号の受信点における電波強度に基づき、移動通信装置の位置を算出する位置算出部と、を備える。
2020021738.tif 000002
【特許請求の範囲】
【請求項１】
予め定められた位置に配置された複数の固定通信装置と、
所定の送信パワーで出力される基準信号を前記複数の固定通信装置のそれぞれと無線通信する移動通信装置と、
前記複数の固定通信装置の中から、前記移動通信装置との間で無線通信された前記基準信号の受信点における電波強度が予め定められた範囲外となっている固定通信装置を除外した複数の有効な固定通信装置を特定する特定部と、
前記複数の有効な固定通信装置の位置、および、前記複数の有効な固定通信装置と前記移動通信装置との間で無線通信された複数の前記基準信号の受信点における電波強度に基づき、前記移動通信装置の位置を算出する位置算出部と、
を備える位置検出システム。
【請求項２】
前記移動通信装置の位置を検出する対象領域を分割した複数の部分領域に一対一に対応した複数の基準パターンの中から、前記複数の固定通信装置と前記移動通信装置との間で無線通信された複数の前記基準信号の受信点における電波強度を表す測定パターンに最も近い１つの基準パターンを選択するパターン選択部と、
前記複数の有効な固定通信装置の中から、選択された基準パターンに対応する部分領域に基づき３以上の有効な固定通信装置を選択する装置選択部と、
をさらに備え、
前記位置算出部は、選択された前記３以上の有効な固定通信装置の位置、および、選択された前記３以上の有効な固定通信装置と前記移動通信装置との間で無線通信された３以上の前記基準信号の受信点における電波強度に基づき、前記移動通信装置の位置を算出する
請求項１に記載の位置検出システム。
【請求項３】
位置を検出する対象領域を分割した複数の部分領域に一対一に対応した複数の基準パターンの中から、前記複数の有効な固定通信装置と前記移動通信装置との間で無線通信された複数の前記基準信号の受信点における電波強度を表すパターンに最も近い１つの基準パターンを選択するパターン選択部と、
前記複数の有効な固定通信装置の中から、選択された基準パターンに対応する部分領域に基づき３以上の有効な固定通信装置を選択する装置選択部と、
をさらに備え、
前記位置算出部は、選択された前記３以上の固定通信装置の位置、および、選択された前記３以上の固定通信装置と前記移動通信装置との間で無線通信された３以上の前記基準信号の受信点における電波強度に基づき、前記移動通信装置の位置を算出する
請求項１に記載の位置検出システム。
【請求項４】
前記複数の基準パターンのそれぞれは、対応する部分領域に配置された基準通信機と、前記複数の固定通信装置との間で無線通信された、複数の前記基準信号の受信点における電波強度を表す
請求項２または３に記載の位置検出システム。
【請求項５】
前記移動通信装置は、前記基準信号を送信し、
前記複数の固定通信装置のそれぞれは、前記移動通信装置から送信された前記基準信号を受信する
請求項１から４の何れか１項に記載の位置検出システム。
【請求項６】
前記複数の固定通信装置のそれぞれは、前記基準信号を送信し、
前記移動通信装置は、前記複数の固定通信装置のそれぞれから送信された前記基準信号を受信する
請求項１から４の何れか１項に記載の位置検出システム。
【請求項７】
予め定められた位置に配置された複数の固定通信装置と、所定の送信パワーで出力される基準信号を前記複数の固定通信装置のそれぞれと無線通信する移動通信装置と、を備える位置検出システムに用いられる、前記移動通信装置の位置を算出する算出装置であって、
前記複数の固定通信装置の中から、前記移動通信装置との間で無線通信された前記基準信号の受信点における電波強度が予め定められた範囲外となっている固定通信装置を除外した複数の有効な固定通信装置を特定する特定部と、
前記複数の有効な固定通信装置の位置、および、前記複数の有効な固定通信装置と前記移動通信装置との間で無線通信された複数の前記基準信号の受信点における電波強度に基づき、前記移動通信装置の位置を算出する位置算出部と、
を有する算出装置。
【請求項８】
予め定められた位置に配置された複数の固定通信装置と、所定の送信パワーで出力される基準信号を前記複数の固定通信装置のそれぞれと無線通信する移動通信装置と、を備える位置検出システムに用いられる、情報処理装置を前記移動通信装置の位置を算出する算出装置として機能させるためのプログラムであって、
前記情報処理装置に、
前記複数の固定通信装置の中から、前記移動通信装置との間で無線通信された前記基準信号の受信点における電波強度が予め定められた範囲外となっている固定通信装置を除外した複数の有効な固定通信装置を特定する特定ステップと、
前記複数の有効な固定通信装置の位置、および、前記複数の有効な固定通信装置と前記移動通信装置との間で無線通信された複数の前記基準信号の受信点における電波強度に基づき、前記移動通信装置の位置を算出する位置算出ステップと、
を実行させるプログラム。
【請求項９】
予め定められた位置に配置された複数の固定通信装置と、所定の送信パワーで出力される基準信号を前記複数の固定通信装置のそれぞれと無線通信する移動通信装置と、を備える位置検出システムに用いられる、前記移動通信装置の位置を算出する算出装置において実行される位置検出方法であって、
前記算出装置が、
前記複数の固定通信装置の中から、前記移動通信装置との間で無線通信された前記基準信号の受信点における電波強度が予め定められた範囲外となっている固定通信装置を除外した複数の有効な固定通信装置を特定する特定ステップと、
前記複数の有効な固定通信装置の位置、および、前記複数の有効な固定通信装置と前記移動通信装置との間で無線通信された複数の前記基準信号の受信点における電波強度に基づき、前記移動通信装置の位置を算出する位置算出ステップと、
を実行する位置検出方法。
【発明の詳細な説明】
【技術分野】
【０００１】
本発明は、位置検出システム、算出装置、プログラムおよび位置検出方法に関する。
【背景技術】
【０００２】
近年、衛星電波の届かない屋内または地下等において、ユーザが持ち運んでいる情報処理装置（例えばスマートフォン）の位置を提供する屋内測位サービスが提案されている。屋内および地下等で情報処理装置の位置を検出する方法としては、情報処理装置に備えられたＷｉ−Ｆｉ（登録商標）またはＢｌｕｅｔｏｏｔｈ（登録商標）等による無線通信機能を利用した方法が知られている。【０００３】
無線通信機能を用いる方法では、送信機から送信されたビーコン信号の電波強度（例えば、ＬＱＩ（Link  Quality  Indicator）またはＲＳＳＩ（Received  Signal  Strength  Indication）等）に基づき、移動点の位置を算出する。具体的には、この方法では、壁や天井等に設置されている３個の固定通信装置と情報処理装置との間で無線通信された３つのビーコン信号の電波強度を用いて、三点測量法により情報処理装置の位置を算出する。【０００４】
特許文献１には、格子状の領域の交点に設けられた複数の柱にＲＦＩＤタグを取り付けて、領域内を移動するフォークリフトの位置を推定する方法が記載されている。特許文献２には、無線装置と、複数の固定受信装置と、位置検出装置とを備える位置検出システムが記載されている。特許文献２の位置検出システムでは、位置検出装置が、固定受信装置毎の電波強度により場所と強度との対応を記憶したデータベースを検索し、データベースに記憶された強度に対応する場所を出力する。
【先行技術文献】
【特許文献】
【０００５】
【特許文献１】特開２０１１−２２６９５９号公報
【特許文献２】特開２００６−３０８３６１号公報
【発明の概要】
【発明が解決しようとする課題】
【０００６】
ところで、この方法では、移動点に近い３個の固定通信装置として、ビーコン信号の受信点における電波強度が強い方から上位の３個の固定通信装置を選択する。しかし、屋内または地下等の空間内には、屋外と異なり様々な障害物が存在する。このため、壁や天井等に設置されている複数の固定通信装置の中には、マルチパス等により送受信する信号の電波強度が異常に強まったり、送受信する信号の電波強度が異常に弱まったりする固定通信装置が発生する可能性がある。従って、この方法では、このような送受信する信号の電波強度が異常に強まったり弱まったりした固定通信装置を、移動点に近い３個の固定通信装置の一つに選択した場合、精度良く情報処理装置の位置を検出することができない。【０００７】
本発明は、上記に鑑みてなされたものであって、移動通信装置の位置を精度良く検出する位置検出システム、算出装置、プログラムおよび位置検出方法を提供することを目的とする。
【課題を解決するための手段】
【０００８】
上述した課題を解決し、目的を達成するために、本発明に係る位置検出システムは、予め定められた位置に配置された複数の固定通信装置と、所定の送信パワーで出力される基準信号を前記複数の固定通信装置のそれぞれと無線通信する移動通信装置と、前記複数の固定通信装置の中から、前記移動通信装置との間で無線通信された前記基準信号の受信点における電波強度が予め定められた範囲外となっている固定通信装置を除外した複数の有効な固定通信装置を特定する特定部と、前記複数の有効な固定通信装置の位置、および、前記複数の有効な固定通信装置と前記移動通信装置との間で無線通信された複数の前記基準信号の受信点における電波強度に基づき、前記移動通信装置の位置を算出する位置算出部と、を備える。
【発明の効果】
【０００９】
本発明によれば、移動通信装置の位置を精度良く検出することができる。
【図面の簡単な説明】
【００１０】
【図１】図１は、位置検出システムを示す図である。
【図２】図２は、基準信号の送信点における送信パワーおよび受信点における電波強度を示す図である。
【図３】図３は、対象領域を分割した複数の部分領域を示す図である。
【図４】図４は、複数の部分領域に一対一に対応する複数の基準パターンを示す図である。
【図５】図５は、基準通信機と複数の固定通信装置との間の複数の伝送路を示す図である。
【図６】図６は、第１実施形態に係る算出装置の機能構成を、移動通信装置および複数の固定通信装置とともに示す図である。
【図７】図７は、第１実施形態に係る算出装置の処理の流れを示すフローチャートである。
【図８】図８は、Ｓ１１で収集した測定パターンの一例を示す図である。
【図９】図９は、Ｓ１２で量子化した測定パターンの一例を示す図である。
【図１０】図１０は、Ｓ１３における、複数の基準パターンと、測定パターンとの比較結果の一例を示す図である。
【図１１】図１１は、Ｓ１４で選択された、部分領域を囲む３個の固定通信装置の一例を示す図である。
【図１２】図１２は、Ｓ１５において取得された基準信号の受信点における電波強度の一例を示す図である。
【図１３】図１３は、Ｓ１６において取得された固定通信装置の位置の一例を示す図である。
【図１４】図１４は、部分領域に予め紐づけられた組の一例を示す図である。
【図１５】図１５は、部分領域を囲む３個の固定通信装置を含む複数の組の一例を示す図である。
【図１６】図１６は、部分領域に紐づけられた複数の組の一例を示す図である。
【図１７】図１７は、移動通信装置の位置の算出処理の流れを示すフローチャートである。
【図１８】図１８は、移動通信装置の位置の算出方法の一例を説明するための図である。
【図１９】図１９は、第２実施形態に係る算出装置の機能構成を、移動通信装置および複数の固定通信装置とともに示す図である。
【図２０】図２０は、移動通信装置の位置に対する基準信号の受信点における電波強度との関係を表す図である。
【図２１】図２１は、第２実施形態に係る算出装置の処理の流れを示すフローチャートである。
【図２２】図２２は、送信点におけるショートバースト信号の波形を示す図である。
【図２３】図２３は、第３実施形態に係る算出装置の第１の処理の流れを示すフローチャートである。
【図２４】図２４は、第３実施形態に係る算出装置の第２の処理の流れを示すフローチャートである。
【図２５】図２５は、情報処理装置のハードウェア構成を示す図である。
【発明を実施するための形態】
【００１１】
以下、図面を参照しながら実施形態に係る位置検出システム１０について説明する。位置検出システム１０は、屋内または地下等を移動する移動通信装置２０の位置を精度良く検出する。
【００１２】
（第１実施形態）
図１は、第１実施形態に係る位置検出システム１０を示す図である。第１実施形態に係る位置検出システム１０は、移動通信装置２０と、複数の固定通信装置３０と、算出装置４０とを備える。
【００１３】
移動通信装置２０は、使用者により持ち運ばれる情報処理端末である。移動通信装置２０は、通信機能、入力機能、および音声出力および画像表示等の出力機能を有する。移動通信装置２０は、このような機能を有していれば、例えば、ノート型のコンピュータ、スマートフォン、タブレット端末、携帯電話機または専用の情報端末等のどのような装置であってもよい。
【００１４】
複数の固定通信装置３０は、屋内または地下等における互いに異なる予め定められた位置に配置される。例えば、複数の固定通信装置３０は、移動通信装置２０の位置を検出する対象領域を囲むように配置される。複数の固定通信装置３０は、例えば屋内または地下等の天井、壁または柱等に設置される。
【００１５】
固定通信装置３０は、移動通信装置２０と無線通信が可能な情報処理端末である。固定通信装置３０は、例えば、Ｗｉ−Ｆｉ（登録商標）またはＢｌｕｅｔｏｏｔｈ（登録商標）等の無線ルータ装置である。固定通信装置３０が無線ルータ装置である場合、移動通信装置２０は、複数の固定通信装置３０のうちの何れかを介して、インターネット上のサーバにアクセスすることができる。
【００１６】
算出装置４０は、移動通信装置２０および複数の固定通信装置３０とネットワークを介して接続される情報処理装置である。例えば、算出装置４０は、一般的なコンピュータまたはサーバであってよい。また、算出装置４０は、１台のコンピュータであってもよいし、クラウドシステムのように複数台のコンピュータにより構成されていてもよい。
【００１７】
算出装置４０は、対象領域の近傍に設けられてもよいし、対象領域から離れた場所に設けられてもよい。また、算出装置４０は、移動通信装置２０内に実現されてもよい。算出装置４０は、移動通信装置２０または複数の固定通信装置３０とネットワークを介して接続され、移動通信装置２０または複数の固定通信装置３０から必要な情報を取得して、移動通信装置２０の位置を算出する。
【００１８】
使用者は、移動通信装置２０を保持して、対象領域内を移動する。位置検出システム１０は、対象領域内における移動通信装置２０の位置を検出し、検出した位置を例えば移動通信装置２０の表示部等に表示する。これにより、使用者は、対象領域内における自身の位置を認識することができる。
【００１９】
図２は、基準信号の送信点における送信パワーおよび受信点における電波強度を示す図である。移動通信装置２０は、所定の送信パワーで出力される基準信号を複数の固定通信装置３０のそれぞれと無線通信する。
【００２０】
本実施形態において、移動通信装置２０は、第１間隔毎に、複数の固定通信装置３０のそれぞれに基準信号を送信する。そして、本実施形態において、複数の固定通信装置３０のそれぞれは、移動通信装置２０から送信された基準信号を受信する。
【００２１】
なお、複数の固定通信装置３０のそれぞれは、第１間隔毎に、基準信号を移動通信装置２０に対して送信してもよい。この場合、移動通信装置２０は、複数の固定通信装置３０のそれぞれから送信された複数の基準信号を受信する。この場合、複数の固定通信装置３０は、送信した基準信号が干渉しないように、例えば互いに時間をずらして基準信号を送信する。
【００２２】
基準信号の送信パワーは、図２（Ａ）に示されるように、所定の値である。これに対して、基準信号の受信点における電波強度は、移動通信装置２０と固定通信装置３０との間の伝送路によって異なる。
【００２３】
例えば、基準信号の受信点における電波強度は、伝送路中に障害物等が存在しない場合には、移動通信装置２０と固定通信装置３０との間の距離が長い程、小さくなる。従って、移動通信装置２０がある固定通信装置３０から離れていく方向に移動する場合、その固定通信装置３０と移動通信装置２０との間で無線通信された基準信号の受信点における電波強度は、図２の（Ｂ）に示されるように、徐々に小さくなる。反対に、移動通信装置２０がある固定通信装置３０に近づく方向に移動する場合、その固定通信装置３０と移動通信装置２０との間で無線通信された基準信号の受信点における電波強度は、図２の（Ｃ）に示されるように、徐々に大きくなる。
【００２４】
図３は、対象領域を分割した複数の部分領域を示す図である。位置検出システム１０では、例えば図３の点線で区切られたＡ〜Ｐに示されるような、対象領域を分割した複数の部分領域が設定されている。
【００２５】
対象領域の周囲には、複数の固定通信装置３０が配置されている。例えば、図３の例では、１０個の固定通信装置３０（３０−１〜３０−１０）が、対象領域を囲むように配置されている。複数の固定通信装置３０は、全ての部分領域について、その部分領域を囲む少なくとも３個の固定通信装置３０が存在するように配置されている。
【００２６】
図４は、複数の部分領域に一対一に対応する複数の基準パターンを示す図である。図５は、基準通信機５０が部分領域（Ｎ）の中心に配置されている場合における、基準通信機５０と、複数の固定通信装置３０（３０−１〜３０−１０）との間の複数の伝送路を示す図である。
【００２７】
位置検出システム１０では、移動通信装置２０の位置を検出する処理に先だって、予め、複数の基準パターンが生成される。複数の基準パターンは、複数の部分領域に一対一に対応する。例えば、図４の例の場合、Ａ〜Ｐの部分領域に一対一で対応する１６個の基準パターンが予め生成される。
【００２８】
複数の基準パターンのそれぞれは、複数の固定通信装置３０と対応する部分領域に配置された基準通信機５０との間で無線通信された複数の基準信号の、受信点における電波強度を表す。図４の例では、基準パターンは、固定通信装置３０（♯１〜♯１０）毎の基準信号の受信点における電波強度を表す。なお、図４の例では、基準パターンは、所定単位で量子化した電波強度を表す。
【００２９】
例えば、複数の基準パターンのそれぞれは、複数の固定通信装置３０が受信した、対応する部分領域に配置された基準通信機５０から送信された複数の基準信号の電波強度を表す。また、例えば、複数の基準パターンのそれぞれは、対応する部分領域に配置された基準通信機５０が受信した、複数の固定通信装置３０から送信された複数の基準信号の電波強度を表してもよい。
【００３０】
例えば、図５に示すように、位置検出システム１０の管理者は、部分領域（Ｎ）に対応する基準パターンを生成する場合、部分領域（Ｎ）内の所定の位置（例えば部分領域（Ｎ）の中心）に基準通信機５０を配置した場合における、基準通信機５０と複数の固定通信装置３０との間で無線通信された、複数の基準信号の受信点における電波強度を取得する。そして、位置検出システム１０の管理者は、このように取得した複数の基準信号の受信点における電波強度に基づき、その部分領域に対応する基準パターンを生成する。なお、位置検出システム１０の管理者は、実測した電波強度により基準パターンを設定してもよいし、シミュレーション等により算出した電波強度により基準パターンを生成してもよい。
【００３１】
図６は、第１実施形態に係る算出装置４０の機能構成を、移動通信装置２０および複数の固定通信装置３０とともに示す図である。算出装置４０は、ネットワークを介して複数の固定通信装置３０と接続される。算出装置４０と複数の固定通信装置３０との間のネットワークは、無線であっても有線であってもよい。
【００３２】
算出装置４０は、パターン記憶部６２と、位置記憶部６４と、収集部７０と、パターン選択部７２と、装置選択部７４と、位置算出部７６とを有する。
【００３３】
パターン記憶部６２は、予め生成された複数の基準パターンを記憶する。例えば、複数の基準パターンは、位置検出システム１０の管理者により、パターン記憶部６２に登録される。
【００３４】
なお、本実施形態においては、複数の基準パターンは、図４に示したように、複数の基準信号の受信点における電波強度を所定単位で量子化した値を表す。
【００３５】
位置記憶部６４は、複数の固定通信装置３０のそれぞれの位置を記憶する。複数の固定通信装置３０のそれぞれの位置は、例えば、所定の位置を基準とした座標により表される。固定通信装置３０の位置は、例えば、設置時において位置検出システム１０の管理者により測定され、管理者により位置記憶部６４に予め登録される。
【００３６】
収集部７０は、複数の固定通信装置３０と移動通信装置２０との間で無線通信された、複数の基準信号の受信点における電波強度を収集する。本実施形態においては、移動通信装置２０が基準信号を送信し、複数の固定通信装置３０のそれぞれが基準信号を受信する。この場合、収集部７０は、複数の固定通信装置３０が受信した複数の基準信号の電波強度を取得する。なお、複数の固定通信装置３０のそれぞれが基準信号を送信し、移動通信装置２０が複数の基準信号を受信してもよい。この場合、収集部７０は、移動通信装置２０が受信した複数の基準信号の電波強度を取得する。
【００３７】
パターン選択部７２は、収集部７０により収集された、複数の固定通信装置３０と移動通信装置２０との間で無線通信された、複数の基準信号の受信点における電波強度を取得する。そして、パターン選択部７２は、パターン記憶部６２に記憶された複数の基準パターンの中から、複数の固定通信装置３０と移動通信装置２０との間で無線通信された複数の基準信号の受信点における電波強度を表す測定パターンに最も近い１つの基準パターンを選択する。
【００３８】
例えば、移動通信装置２０が基準信号を送信し、複数の固定通信装置３０のそれぞれが基準信号を受信する場合には、パターン選択部７２は、複数の固定通信装置３０が受信した複数の基準信号の電波強度を表す測定パターンと、複数の基準パターンのそれぞれとを比較して、１つの基準パターンを選択する。また、複数の固定通信装置３０のそれぞれが基準信号を送信し、移動通信装置２０が複数の基準信号を受信する場合、移動通信装置２０が受信した複数の基準信号の電波強度を表す測定パターンと、複数の基準パターンのそれぞれとを比較して、１つの基準パターンを選択する。
【００３９】
なお、本実施形態においては、パターン選択部７２は、複数の固定通信装置３０と移動通信装置２０との間で無線通信された、複数の基準信号の受信点における電波強度を、所定単位で量子化して測定パターンを生成する。そして、パターン選択部７２は、量子化した複数の基準信号の受信点における電波強度の値を表す測定パターンと、複数の基準パターンのそれぞれとを比較して、測定パターンに最も近い１つの基準パターンを選択する。
【００４０】
装置選択部７４は、選択された基準パターンに対応する部分領域に基づき、複数の固定通信装置３０の中から３以上の固定通信装置３０を選択する。例えば、装置選択部７４は、選択された基準パターンに対応する部分領域を囲む位置に配置された３以上の固定通信装置３０を選択する。また、例えば、複数の基準パターンのそれぞれには、３以上の固定通信装置３０を含む組が予め紐づけられていてもよい。この場合、装置選択部７４は、選択された基準パターンに紐づけられた組に含まれる３以上の固定通信装置３０を選択する。
【００４１】
位置算出部７６は、装置選択部７４により選択された３以上の固定通信装置３０のそれぞれの位置を位置記憶部６４から取得する。また、位置算出部７６は、装置選択部７４により選択された３以上の固定通信装置３０と移動通信装置２０との間で無線通信された３以上の基準信号の受信点における電波強度を、収集部７０から取得する。そして、位置算出部７６は、選択された３以上の固定通信装置３０の位置、および、選択された３以上の固定通信装置３０と移動通信装置２０との間で無線通信された３以上の基準信号の受信点における電波強度に基づき、移動通信装置２０の位置を算出する。
【００４２】
例えば、位置算出部７６は、三点測位法等により移動通信装置２０の位置を算出する。なお、位置算出部７６による位置の具体的な算出方法の一例については、図１７および図１８を参照してさらに説明する。
【００４３】
そして、位置算出部７６は、算出した位置を出力する。例えば、位置算出部７６は、移動通信装置２０の表示部に、算出した位置を表示させてもよい。また、位置算出部７６は、算出した位置をネットワークを介して他の装置に送信してもよい。
【００４４】
図７は、第１実施形態に係る算出装置４０の処理の流れを示すフローチャートである。また、図８〜図１３は、図７に示すフローチャートを説明する際に参照される図である。
【００４５】
算出装置４０は、複数の固定通信装置３０と移動通信装置２０との間で、基準信号が送受信される毎に、図７に示す処理を実行する。
【００４６】
まず、Ｓ１１において、収集部７０は、複数の固定通信装置３０と移動通信装置２０との間で無線通信された、複数の基準信号の受信点における電波強度を収集する。例えば、収集部７０は、図８に示すような、固定通信装置３０（♯１〜♯１０）毎の基準信号の受信点における電波強度を収集する。
【００４７】
続いて、Ｓ１２において、パターン選択部７２は、複数の固定通信装置３０と移動通信装置２０との間で無線通信された、複数の基準信号の受信点における電波強度を、所定単位で量子化して測定パターンを生成する。例えば、パターン選択部７２は、図９に示すような、固定通信装置３０（♯１〜♯１０）毎の基準信号の受信点における電波強度を量子化した測定パターンを生成する。
【００４８】
続いて、Ｓ１３において、パターン選択部７２は、パターン記憶部６２に記憶された複数の基準パターンの中から、測定パターンに最も近い１つの基準パターンを選択する。例えば、図１０に示すように、パターン選択部７２は、複数の基準パターンのそれぞれについて、固定通信装置３０（♯１〜♯１０）毎に測定パターンに含まれる値と一致するか否かを判定する。続いて、パターン選択部７２は、基準パターン毎に、値が一致した数を算出する。そして、パターン選択部７２は、値が一致した数が最も多い基準パターンを、測定パターンに最も近い基準パターンとして選択する。なお、パターン選択部７２は、他の比較方法により、測定パターンに最も近い１つの基準パターンを選択してもよい。例えば、パターン選択部７２は、測定パターンと基準パターンとの間の距離（ノルム）を算出し、ノルムが最も小さい基準パターンを、測定パターンに最も近い基準パターンとして選択してもよい。
【００４９】
そして、パターン選択部７２は、選択した基準パターンに対応する部分領域を特定する。例えば、図１０の例では、パターン選択部７２は、部分領域（Ｌ）を特定する。
【００５０】
続いて、Ｓ１４において、装置選択部７４は、選択された基準パターンに対応する部分領域に基づき、複数の固定通信装置３０の中から３以上の固定通信装置３０を選択する。例えば、装置選択部７４は、選択した３以上の固定通信装置３０を頂点とした多角形が、選択された基準パターンに対応する部分領域を全て含むように、３以上の固定通信装置３０を選択する。例えば、図１１の例では、装置選択部７４は、選択された基準パターンに対応する部分領域（Ｌ）を囲む位置に配置された３個の固定通信装置３０（♯３、♯７、♯８）を選択する。
【００５１】
続いて、Ｓ１５において、位置算出部７６は、装置選択部７４により選択された３以上の固定通信装置３０と移動通信装置２０との間で無線通信された、３以上の基準信号の受信点における電波強度を、収集部７０から取得する。例えば、位置算出部７６は、図１２に示すように、選択された３個の固定通信装置３０（♯３、♯７、♯８）と移動通信装置２０との間で無線通信された、３つの基準信号の受信点における電波強度を取得する。
【００５２】
続いて、Ｓ１６において、位置算出部７６は、装置選択部７４により選択された３以上の固定通信装置３０のそれぞれの位置を位置記憶部６４から取得する。例えば、位置算出部７６は、図１３に示すように、選択された３個の固定通信装置３０（♯３、♯７、♯８）の位置を示す３個の座標（ｘ，ｙ）を取得する。
【００５３】
続いて、Ｓ１７において、位置算出部７６は、選択された３以上の固定通信装置３０の位置、および、選択された３以上の固定通信装置３０と移動通信装置２０との間で無線通信された、３以上の基準信号の受信点における電波強度に基づき、移動通信装置２０の位置を算出する。例えば、位置算出部７６は、３個の固定通信装置３０（♯３、♯７、♯８）の位置および３つの基準信号の電波強度を用いて三点測位法により移動通信装置２０の位置を算出する。なお、位置算出部７６による位置の具体的な算出方法の一例については、図１７および図１８を参照してさらに説明する。
【００５４】
そして、Ｓ１８において、位置算出部７６は、算出した位置を出力する。
【００５５】
図１４は、部分領域に予め紐づけられた組の一例を示す図である。複数の基準パターンのそれぞれは、３以上の固定通信装置３０を含む組が予め紐づけられていてもよい。この場合、装置選択部７４は、選択された基準パターンに紐づけられた組に含まれる３以上の固定通信装置３０を選択する。
【００５６】
図１５は、部分領域を囲む３個の固定通信装置３０を含む複数の組の一例を示す図である。また、装置選択部７４は、選択された基準パターンに対応する部分領域を囲む３以上の固定通信装置３０の組を、複数組選択してもよい。
【００５７】
例えば、図１５の例では、装置選択部７４は、選択された基準パターンに対応する部分領域を囲む位置に配置された３個の固定通信装置３０（♯３、♯７、♯８）を含む第１の組、および、３個の固定通信装置３０（♯４、♯７、♯９）を含む第２の組を選択する。
【００５８】
この場合、位置算出部７６は、選択した組毎に移動通信装置２０の候補位置を算出する。そして、位置算出部７６は、組毎に算出した候補位置の平均値または中央値を、移動通信装置２０の位置として決定する。
【００５９】
図１６は、部分領域に紐づけられた複数の組の一例を示す図である。また、複数の基準パターンのそれぞれは、３以上の固定通信装置３０を含む組が、複数個紐づけられていてもよい。この場合、装置選択部７４は、選択された基準パターンに紐づけられた複数個の組を選択する。そして、位置算出部７６は、選択した組毎に移動通信装置２０の候補位置を算出し、組毎に算出した候補位置の平均値または中央値を移動通信装置２０の位置として決定する。
【００６０】
図１７は、移動通信装置２０の位置の算出処理の流れを示すフローチャートである。図１８は、３個の固定通信装置３０を選択した場合における、移動通信装置２０の位置の算出方法の一例を説明するための図である。
【００６１】
装置選択部７４は、複数の固定通信装置３０の中から、第１の固定通信装置３０−１、第２の固定通信装置３０−２および第３の固定通信装置３０−３を選択する。
【００６２】
ここで、第１の固定通信装置３０−１の位置は（ｘ１，ｙ１）であり、第２の固定通信装置３０−２の位置は（ｘ２，ｙ２）であり、第３の固定通信装置３０−３の位置は（ｘ３，ｙ３）であるとする。また、移動通信装置２０と第１の固定通信装置３０−１との間で無線通信された基準信号の受信点における電波強度は“ｌ”であるとする。また、移動通信装置２０と第２の固定通信装置３０−２との間で無線通信された基準信号の受信点における電波強度は“ｍ”であるとする。移動通信装置２０と第３の固定通信装置３０−３との間で無線通信された基準信号の受信点における電波強度は“ｎ”であるとする。
【００６３】
このような場合、位置算出部７６は、例えば、図１７に示すフローチャートに従って、移動通信装置２０の位置を算出する。
【００６４】
まず、Ｓ３１において、位置算出部７６は、第１分割点（ｘａ，ｙａ）を算出する。第１分割点（ｘａ，ｙａ）は、第１の固定通信装置３０−１の位置と第２の固定通信装置３０−２の位置とを結ぶ線を、基準信号の受信点における電波強度の大きさに応じた比率で分割した点である。この場合、第１の固定通信装置３０−１および第２の固定通信装置３０−２のうち、基準信号の受信点における電波強度が大きい方が、第１分割点（ｘａ，ｙａ）が近くなるように分割される。従って、位置算出部７６は、下記の式（１）および（２）を演算して、第１分割点（ｘａ，ｙａ）を算出する。
【数１】
2020021738.tif 000003
【００６５】
続いて、Ｓ３２において、位置算出部７６は、第２分割点（ｘｂ，ｙｂ）を算出する。第２分割点（ｘｂ，ｙｂ）は、第２の固定通信装置３０−２の位置と第３の固定通信装置３０−３の位置とを結ぶ線を、基準信号の受信点における電波強度の大きさに応じた比率で分割した点である。この場合、第２の固定通信装置３０−２および第３の固定通信装置３０−３のうち、基準信号の受信点における電波強度が大きい方が、第２分割点（ｘｂ，ｙｂ）が近くなるように分割される。従って、位置算出部７６は、下記の式（３）および（４）を演算して、第２分割点（ｘｂ，ｙｂ）を算出する。
【数２】
2020021738.tif 000004
【００６６】
続いて、Ｓ３３において、位置算出部７６は、第１分割点（ｘａ，ｙａ）と第３の固定通信装置３０−３の位置とを結ぶ第１直線１２１を算出する。続いて、Ｓ３４において、位置算出部７６は、第２分割点（ｘｂ，ｙｂ）と、第１の固定通信装置３０−１の位置とを結ぶ第２直線１２２を算出する。
【００６７】
続いて、Ｓ３５において、位置算出部７６は、第１直線１２１と第２直線１２２との交点（Ｇｘ，Ｇｙ）を算出する。そして、位置算出部７６は、この交点（Ｇｘ，Ｇｙ）を、移動通信装置２０の位置として出力する。
【００６８】
なお、位置算出部７６は、第１直線１２１と第２直線１２２との交点（Ｇｘ，Ｇｙ）を、下記の式（５）により直接演算してもよい。
【数３】
2020021738.tif 000005
【００６９】
なお、式（５）において、ａ、ｂ、ｃおよびｄは、下記の式により表される。
【数４】
2020021738.tif 000006
【００７０】
以上のように、第１実施形態に係る位置検出システム１０は、対象領域内における移動通信装置２０が存在する部分領域を特定し、部分領域を囲む３以上の固定通信装置３０を選択する。そして、第１実施形態に係る位置検出システム１０は、選択した３以上の固定通信装置３０の位置、および、移動通信装置２０と選択した３以上の固定通信装置３０との間で無線通信された３以上の基準信号の受信点における電波強度に基づき、移動通信装置２０を算出する。これにより、第１実施形態に係る位置検出システム１０は、移動通信装置２０の位置を精度良く検出することができる。
【００７１】
（第２実施形態）
つぎに、第２実施形態に係る位置検出システム１０について説明をする。第２実施形態に係る位置検出システム１０は、第１実施形態に係る位置検出システム１０と略同一の機能および構成を有する。第２実施形態に係る位置検出システム１０については、第１実施形態との相違点について説明をする。
【００７２】
図１９は、第２実施形態に係る算出装置４０の機能構成を、移動通信装置２０および複数の固定通信装置３０とともに示す図である。
【００７３】
第２実施形態に係る算出装置４０は、特定部９２をさらに有する。特定部９２は、収集部７０により収集された、複数の固定通信装置３０と移動通信装置２０との間で無線通信された複数の基準信号の受信点における電波強度を取得する。そして、特定部９２は、複数の固定通信装置３０の中から、移動通信装置２０との間で無線通信された基準信号の受信点における電波強度が予め定められた範囲外となっている固定通信装置３０を除外した複数の有効な固定通信装置３０を特定する。
【００７４】
第２実施形態に係る装置選択部７４は、特定部９２により特定された有効な固定通信装置３０の中から、選択された基準パターンに対応する部分領域に基づき３以上の有効な固定通信装置３０を選択する。例えば、装置選択部７４は、選択された基準パターンに対応する部分領域を囲む位置に配置された３以上の有効な固定通信装置３０を選択する。
【００７５】
第２実施形態に係る位置算出部７６は、装置選択部７４により選択された３以上の有効な固定通信装置３０のそれぞれの位置を位置記憶部６４から取得する。また、位置算出部７６は、装置選択部７４により選択された３以上の有効な固定通信装置３０と移動通信装置２０との間で無線通信された、３以上の基準信号の受信点における電波強度を、収集部７０から取得する。そして、位置算出部７６は、選択された３以上の有効な固定通信装置３０の位置、および、選択された３以上の有効な固定通信装置３０と移動通信装置２０との間で無線通信された、３以上の基準信号の受信点における電波強度に基づき、移動通信装置２０の位置を算出する。
【００７６】
図２０は、移動通信装置２０の位置に対する、移動通信装置２０と固定通信装置３０との間で無線通信された基準信号の受信点における電波強度との関係を表す図である。
【００７７】
位置検出システム１０は、移動通信装置２０の位置を検出することができる領域（対象領域）が予め定められている。従って、移動通信装置２０と固定通信装置３０との間で無線通信された基準信号の受信点における電波強度の範囲（下限値から上限値までの範囲）は、理論的に定められる。すなわち、基準信号の受信点における電波強度は、移動通信装置２０と固定通信装置３０とが対象領域内で最も離れた場合に、理論的に最も小さくなる。また、基準信号の受信点における電波強度は、移動通信装置２０と固定通信装置３０とが対象領域内で最も近づいた場合に、理論的に最も大きくなる。
【００７８】
そこで、位置検出システム１０の管理者は、図２０に示すように、基準信号の受信点における電波強度の理論値の範囲の下限値からマージン値を減じた値から、上限値にマージン値を加えた値までの範囲を、有効範囲として予め設定する。特定部９２は、複数の固定通信装置３０と移動通信装置２０との間で無線通信された複数の基準信号の受信点における電波強度が、予め設定された有効範囲内であるか否かを判断する。そして、特定部９２は、複数の固定通信装置３０の中から、移動通信装置２０との間で無線通信された基準信号の受信点における電波強度が有効範囲内となる固定通信装置３０を、有効な固定通信装置３０として特定する。これにより、特定部９２は、移動通信装置２０との間で無線通信された基準信号の受信点における電波強度が、マルチパス等の影響により異常な値となる固定通信装置３０を除外して、移動通信装置２０の位置を算出させることができる。
【００７９】
なお、管理者は、固定通信装置３０毎に、異なる有効範囲を設定してもよい。この場合、特定部９２は、固定通信装置３０毎に、対応する有効範囲を取得し、取得した有効範囲と、移動通信装置２０との間で無線通信された基準信号の受信点における電波強度とを比較する。これにより、特定部９２は、異常な値となる固定通信装置３０をより精度良く除外することができる。
【００８０】
図２１は、第２実施形態に係る算出装置４０の処理の流れを示すフローチャートである。第２実施形態に係る算出装置４０は、複数の固定通信装置３０と移動通信装置２０との間で、基準信号が送受信される毎に、図２１に示す処理を実行する。図７に示した第１実施形態との相違点は、Ｓ１３とＳ１４との間に、Ｓ４１の処理が実行される点である。
【００８１】
Ｓ４１において、特定部９２は、複数の固定通信装置３０の中から、基準信号の受信点における電波強度が予め定められた範囲外となっている固定通信装置３０を除外した複数の有効な固定通信装置３０を特定する。続いて、Ｓ１４において、装置選択部７４は、Ｓ４１で特定された有効な固定通信装置３０の中から、選択された基準パターンに対応する部分領域に基づき３以上の有効な固定通信装置３０を選択する。このような処理を実行することにより、位置検出システム１０は、移動通信装置２０との間で無線通信された基準信号の受信点における電波強度が異常な値となる固定通信装置３０を除外して、移動通信装置２０の位置を算出することができる。
【００８２】
なお、特定部９２は、Ｓ４１の処理を、Ｓ１３より前に実行してもよい。また、この場合、Ｓ１３において、パターン選択部７２は、基準信号の受信点における電波強度が異常な値となる固定通信装置３０を除外して、複数の基準パターンと測定パターンとを比較してもよい。つまり、この場合、パターン選択部７２は、複数の基準パターンの中から、複数の有効な固定通信装置３０と移動通信装置２０との間で無線通信された複数の基準信号の受信点における電波強度を表すパターンに最も近い１つの基準パターンを選択する。これにより、算出装置４０は、基準パターンを選択する段階から、基準信号の受信点における電波強度が異常となる固定通信装置３０の測定値を除外することができる。
【００８３】
以上のように、第２実施形態に係る位置検出システム１０は、電波強度が異常な値となる固定通信装置３０を除外して、移動通信装置２０の位置を算出する。これにより、第２実施形態に係る位置検出システム１０によれば、マルチパス等の影響により基準信号の電波強度が異常に強まったり弱まったりした固定通信装置３０が存在する場合であっても、移動通信装置２０の位置を精度良く検出することができる。
【００８４】
（第３実施形態）
つぎに、第３実施形態に係る位置検出システム１０について説明をする。第３実施形態に係る位置検出システム１０は、第１実施形態に係る位置検出システム１０と略同一の機能および構成を有する。第３実施形態に係る位置検出システム１０については、第１実施形態との相違点について説明をする。なお、第３実施形態における相違点を第２実施形態に適用することも可能である。
【００８５】
図２２は、送信点におけるショートバースト信号の波形を示す図である。第３実施形態において、移動通信装置２０は、第１間隔毎にショートバースト信号を複数の固定通信装置３０のそれぞれと無線通信する。
【００８６】
ショートバースト信号は、所定の送信パワーで出力される所定間隔の複数の基準信号を含む。より具体的には、ショートバースト信号は、所定の送信パワーで出力されるＮ個（Ｎは２以上の整数）の基準信号を含む。図２２の例では、ショートバースト信号は、５個の基準信号を含む。Ｎ個の基準信号は、第１間隔より短い第２間隔毎に送信される。
【００８７】
本実施形態において、移動通信装置２０は、第１間隔毎に、複数の固定通信装置３０のそれぞれにショートバースト信号を送信する。そして、本実施形態において、複数の固定通信装置３０のそれぞれは、移動通信装置２０から送信されたショートバースト信号を受信する。さらに、複数の固定通信装置３０のそれぞれは、受信したショートバースト信号に含まれるＮ個の基準信号のそれぞれの電波強度を取得する。
【００８８】
なお、複数の固定通信装置３０のそれぞれは、第１間隔毎に、ショートバースト信号を移動通信装置２０に対して送信してもよい。この場合、移動通信装置２０は、複数の固定通信装置３０のそれぞれから送信された複数のショートバースト信号を受信する。さらに、この場合、移動通信装置２０は、受信した複数のショートバースト信号のそれぞれについて、そのショートバースト信号に含まれるＮ個の基準信号のそれぞれの電波強度を取得する。また、この場合、複数の固定通信装置３０は、それぞれが送信したショートバースト信号が干渉しないように、互いに時間をずらして基準信号を送信する。
【００８９】
図２３は、第３実施形態に係る算出装置４０の第１の処理の流れを示すフローチャートである。第３実施形態に係る算出装置４０は、複数の固定通信装置３０と移動通信装置２０との間で、ショートバースト信号が送受信される毎に、図２３に示す第１の処理を実行する。
【００９０】
まず、Ｓ５１において、算出装置４０は、ショートバースト信号に含まれる１つの基準信号が受信されたか否かを判断する。基準信号が受信されていない場合には（Ｓ５１のＮｏ）、算出装置４０は、処理をＳ５１で待機する。基準信号が受信された場合には（Ｓ５１のＹｅｓ）、算出装置４０は、処理をＳ５２に進める。
【００９１】
Ｓ５２において、算出装置４０は、受信された基準信号に基づき、移動通信装置２０の位置を算出する。この場合において、算出装置４０は、図７のＳ１１〜Ｓ１８の処理を実行する。
【００９２】
続いて、Ｓ５３において、算出装置４０は、算出した位置を記憶する。続いて、Ｓ５４において、算出装置４０は、基準信号を所定回受信したか否かを判断する。例えば、算出装置４０は、ショートバースト信号に含まれるＮ個の基準信号の全てについて、位置を算出したか否かを判断する。基準信号を所定回受信していない場合には（Ｓ５４のＮｏ）、算出装置４０は、処理をＳ５１に戻し、Ｓ５１から処理を繰り返す。基準信号を所定回受信した場合には（Ｓ５４のＹｅｓ）、算出装置４０は、処理をＳ５５に進める。
【００９３】
Ｓ５５において、算出装置４０は、所定回数分算出した位置の平均値を算出する。そして、算出装置４０は、平均した位置を、移動通信装置２０の位置として出力する。なお、算出装置４０は、位置の平均値に代えて、位置の中央値を算出してもよい。
【００９４】
図２４は、第３実施形態に係る算出装置４０の第２の処理の流れを示すフローチャートである。第３実施形態に係る算出装置４０は、複数の固定通信装置３０と移動通信装置２０との間で、ショートバースト信号が送受信される毎に、図２４に示す第２の処理を実行してもよい。
【００９５】
まず、Ｓ６１において、算出装置４０は、ショートバースト信号に含まれる１つの基準信号が受信されたか否かを判断する。基準信号が受信されていない場合には（Ｓ６１のＮｏ）、算出装置４０は、処理をＳ６１で待機する。基準信号が受信された場合には（Ｓ６１のＹｅｓ）、算出装置４０は、処理をＳ６２に進める。
【００９６】
続いて、Ｓ６２において、算出装置４０は、受信した基準信号の電波強度を記憶する。この場合において、算出装置４０は、固定通信装置３０毎に電波強度を記憶する。
【００９７】
続いて、Ｓ６３において、算出装置４０は、基準信号を所定回受信したか否かを判断する。例えば、算出装置４０は、ショートバースト信号に含まれるＮ個の基準信号の全てについて、基準信号を受信したか否かを判断する。基準信号を所定回受信していない場合には（Ｓ６３のＮｏ）、算出装置４０は、処理をＳ６１に戻し、Ｓ６１から処理を繰り返す。基準信号を所定回受信した場合には（Ｓ６３のＹｅｓ）、算出装置４０は、処理をＳ６４に進める。
【００９８】
Ｓ６４において、算出装置４０は、所定回分算出した電波強度の平均値を算出する。この場合において、算出装置４０は、固定通信装置３０毎に電波強度の平均値を算出する。なお、算出装置４０は、電波強度の平均値に代えて、電波強度の中央値を算出してもよい。
【００９９】
続いて、Ｓ６４において、算出装置４０は、固定通信装置３０毎の電波強度の平均値に基づき、移動通信装置２０の位置を算出する。この場合において、算出装置４０は、図７のＳ１１〜Ｓ１８の処理を実行する。そして、算出装置４０は、算出した位置を、移動通信装置２０の位置として出力する。
【０１００】
以上のように、第３実施形態に係る位置検出システム１０は、ショートバースト信号を用いて、移動通信装置２０の位置を算出する。これにより、第３実施形態に係る位置検出システム１０によれば、送信電力または受信感度が瞬時的に乱れた場合であっても、検出する位置のばらつきを小さくして、移動通信装置２０の位置を精度良く検出することができる。
【０１０１】
（情報処理装置２００のハードウェア構成）
図２５は、情報処理装置２００のハードウェア構成を示す図である。移動通信装置２０、固定通信装置３０および算出装置４０は、例えば、図２５に示すような、通信機能を有する情報処理装置２００により実現することができる。情報処理装置２００は、一例として、一般のコンピュータと同様のハードウェア構成により実現される。情報処理装置２００は、ＣＰＵ（Central  Processing  Unit）２０２と、ＲＯＭ（Read  Only  Memory）２０４と、ＲＡＭ（Random  Access  Memory）２０６と、記憶装置２０８と、無線通信装置２１０と、ネットワークインターフェース装置２１２とを備える。各部は、バスにより接続される。
【０１０２】
ＣＰＵ２０２は、ＲＡＭ２０６の所定領域を作業領域としてＲＯＭ２０４または記憶装置２０８に予め記憶された各種プログラムとの協働により各種処理を実行し、情報処理装置２００を構成する各部の動作を統括的に制御する。また、ＣＰＵ２０２は、ＲＯＭ２０４または記憶装置２０８に予め記憶されたプログラムとの協働により無線通信装置２１０およびネットワークインターフェース装置２１２等を動作させる。
【０１０３】
ＲＯＭ２０４は、情報処理装置２００の制御に用いられるプログラムおよび各種設定情報等を書き換え不可能に記憶する。ＲＡＭ２０６は、ＳＤＲＡＭ（Synchronous  Dynamic  Random  Access  Memory）等の揮発性の記憶媒体である。ＲＡＭ２０６は、ＣＰＵ２０２の作業領域として機能する。
【０１０４】
記憶装置２０８は、フラッシュメモリ等の半導体による記憶媒体、磁気的または光学的に記録可能な記憶媒体等の書き換え可能な記録装置である。記憶装置２０８は、情報処理装置２００の制御に用いられるプログラムを記憶する。
【０１０５】
無線通信装置２１０は、Ｗｉ−Ｆｉ（登録商標）またはＢｌｕｅｔｏｏｔｈ（登録商標）等により他の装置と無線通信を行う。無線通信装置２１０は、移動通信装置２０および固定通信装置３０に適用された場合、基準信号の送受信を行う。なお、算出装置４０は、無線通信装置２１０を備えない構成であってもよい。
【０１０６】
ネットワークインターフェース装置２１２は、他の装置とインターネット等を介して情報を送受信する。例えば、ネットワークインターフェース装置２１２は、算出装置４０に適用された場合、基準信号の受信点における電波強度を、移動通信装置２０または固定通信装置３０から受信する。なお、移動通信装置２０は、固定通信装置３０を介してインターネット等のネットワークに接続する場合には、ネットワークインターフェース装置２１２を備えない構成であってもよい。
【０１０７】
情報処理装置２００が算出装置４０として動作する場合、情報処理装置２００で実行されるプログラムは、例えば、インターネット等のネットワークに接続されたコンピュータ上に格納され、ネットワーク経由でダウンロードさせることにより提供される。また、情報処理装置２００が算出装置４０として動作する場合、情報処理装置２００で実行されるプログラムは、持ち運び可能な記憶媒体等に予め組み込んで提供されてもよい。
【０１０８】
情報処理装置２００が算出装置４０として機能する場合、情報処理装置２００で実行されるプログラムは、収集モジュールと、パターン選択モジュールと、装置選択モジュールと、位置算出モジュールとを含むモジュール構成となっている。ＣＰＵ２０２（プロセッサ）は、記憶媒体等からこのようなプログラムを読み出して、上記各モジュールをＲＡＭ２０６（主記憶装置）にロードする。そして、ＣＰＵ２０２（プロセッサ）は、このようなプログラムを実行することにより、収集部７０、パターン選択部７２、装置選択部７４および位置算出部７６として機能する。また、記憶装置２０８は、パターン記憶部６２および位置記憶部６４として機能する。なお、収集部７０、パターン選択部７２、装置選択部７４および位置算出部７６の一部または全部がハードウェアにより構成されていてもよい。
【０１０９】
以上、本発明の実施形態を説明したが、これらの実施形態は、例として提示したものであり、発明の範囲を限定することは意図していない。実施形態は、種々の変更を行うことができる。
【符号の説明】
【０１１０】
１０  位置検出システム
２０  移動通信装置
３０  固定通信装置
３０−１  第１の固定通信装置
３０−２  第２の固定通信装置
３０−３  第３の固定通信装置
４０  算出装置
５０  基準通信機
６２  パターン記憶部
６４  位置記憶部
７０  収集部
７２  パターン選択部
７４  装置選択部
７６  位置算出部
９２  特定部
１２１  第１直線
１２２  第２直線
【図１】
2020021738.tif 000007
【図２】
2020021738.tif 000008
【図３】
2020021738.tif 000009
【図４】
2020021738.tif 000010
【図５】
2020021738.tif 000011
【図６】
2020021738.tif 000012
【図７】
2020021738.tif 000013
【図８】
2020021738.tif 000014
【図９】
2020021738.tif 000015
【図１０】
2020021738.tif 000016
【図１１】
2020021738.tif 000017
【図１２】
2020021738.tif 000018
【図１３】
2020021738.tif 000019
【図１４】
2020021738.tif 000020
【図１５】
2020021738.tif 000021
【図１６】
2020021738.tif 000022
【図１７】
2020021738.tif 000023
【図１８】
2020021738.tif 000024
【図１９】
2020021738.tif 000025
【図２０】
2020021738.tif 000026
【図２１】
2020021738.tif 000027
【図２２】
2020021738.tif 000028
【図２３】
2020021738.tif 000029
【図２４】
2020021738.tif 000030
【図２５】
2020021738.tif 000031
【手続補正書】
【提出日】令和3年1月14日(2021.1.14)
【手続補正１】
【補正対象書類名】特許請求の範囲
【補正対象項目名】全文
【補正方法】変更
【補正の内容】
【特許請求の範囲】
【請求項１】
予め定められた位置に配置された複数の固定通信装置と、
所定の送信パワーで出力される基準信号を前記複数の固定通信装置のそれぞれと無線通信する移動通信装置と、
前記複数の固定通信装置の中から、前記移動通信装置との間で無線通信された前記基準信号の受信点における電波強度が予め定められた範囲外となっている固定通信装置を除外した複数の有効な固定通信装置を特定する特定部と、
前記移動通信装置の位置を検出する対象領域を分割した複数の部分領域に一対一に対応した複数の基準パターンの中から、前記複数の固定通信装置と前記移動通信装置との間で無線通信された複数の前記基準信号の受信点における電波強度を表す測定パターンに最も近い１つの基準パターンを選択するパターン選択部と、
前記複数の有効な固定通信装置の中から、選択された前記基準パターンに対応する部分領域に基づき３以上の有効な固定通信装置を選択する装置選択部と、
選択された前記３以上の有効な固定通信装置の位置、および、選択された前記３以上の有効な固定通信装置と前記移動通信装置との間で無線通信された３以上の前記基準信号の受信点における電波強度に基づき、前記移動通信装置の位置を算出する位置算出部と、
を備え、
前記装置選択部は、選択した前記３以上の有効な固定通信装置を頂点した多角形が、選択された前記基準パターンに対応する前記部分領域を全て含むように、前記３以上の有効な固定通信装置を選択する
位置検出システム。
【請求項２】
前記パターン選択部は、前記複数の基準パターンの中から、前記複数の有効な固定通信装置と前記移動通信装置との間で無線通信された複数の前記基準信号の受信点における電波強度を表す測定パターンに最も近い１つの前記基準パターンを選択する
請求項１に記載の位置検出システム。
【請求項３】
前記装置選択部は、３個の有効な固定通信装置を選択し、
前記位置算出部は、選択された前記３個の有効な固定通信装置の位置、および、選択された前記３個の有効な固定通信装置と前記移動通信装置との間で無線通信された３つの前記基準信号の受信点における電波強度に基づき、三点測位法により前記移動通信装置の位置を算出する
請求項２に記載の位置検出システム。
【請求項４】
前記複数の基準パターンのそれぞれは、対応する部分領域に配置された基準通信機と、前記複数の固定通信装置との間で無線通信された、複数の前記基準信号の受信点における電波強度を表す
請求項２または３に記載の位置検出システム。
【請求項５】
前記移動通信装置は、前記基準信号を送信し、
前記複数の固定通信装置のそれぞれは、前記移動通信装置から送信された前記基準信号を受信する
請求項１から４の何れか１項に記載の位置検出システム。
【請求項６】
前記複数の固定通信装置のそれぞれは、前記基準信号を送信し、
前記移動通信装置は、前記複数の固定通信装置のそれぞれから送信された前記基準信号を受信する
請求項１から４の何れか１項に記載の位置検出システム。
【請求項７】
予め定められた位置に配置された複数の固定通信装置と、所定の送信パワーで出力される基準信号を前記複数の固定通信装置のそれぞれと無線通信する移動通信装置と、を備える位置検出システムに用いられる、前記移動通信装置の位置を算出する算出装置であって、
前記複数の固定通信装置の中から、前記移動通信装置との間で無線通信された前記基準信号の受信点における電波強度が予め定められた範囲外となっている固定通信装置を除外した複数の有効な固定通信装置を特定する特定部と、
前記移動通信装置の位置を検出する対象領域を分割した複数の部分領域に一対一に対応した複数の基準パターンの中から、前記複数の固定通信装置と前記移動通信装置との間で無線通信された複数の前記基準信号の受信点における電波強度を表す測定パターンに最も近い１つの基準パターンを選択するパターン選択部と、
前記複数の有効な固定通信装置の中から、選択された前記基準パターンに対応する部分領域に基づき３以上の有効な固定通信装置を選択する装置選択部と、
選択された前記３以上の有効な固定通信装置の位置、および、選択された前記３以上の有効な固定通信装置と前記移動通信装置との間で無線通信された３以上の前記基準信号の受信点における電波強度に基づき、前記移動通信装置の位置を算出する位置算出部と、
を有し、
前記装置選択部は、選択した前記３以上の有効な固定通信装置を頂点した多角形が、選択された前記基準パターンに対応する前記部分領域を全て含むように、前記３以上の有効な固定通信装置を選択する
算出装置。
【請求項８】
予め定められた位置に配置された複数の固定通信装置と、所定の送信パワーで出力される基準信号を前記複数の固定通信装置のそれぞれと無線通信する移動通信装置と、を備える位置検出システムに用いられる、情報処理装置を前記移動通信装置の位置を算出する算出装置として機能させるためのプログラムであって、
前記情報処理装置に、
前記複数の固定通信装置の中から、前記移動通信装置との間で無線通信された前記基準信号の受信点における電波強度が予め定められた範囲外となっている固定通信装置を除外した複数の有効な固定通信装置を特定する特定ステップと、
前記移動通信装置の位置を検出する対象領域を分割した複数の部分領域に一対一に対応した複数の基準パターンの中から、前記複数の固定通信装置と前記移動通信装置との間で無線通信された複数の前記基準信号の受信点における電波強度を表す測定パターンに最も近い１つの基準パターンを選択するパターン選択ステップと、
前記複数の有効な固定通信装置の中から、選択された前記基準パターンに対応する部分領域に基づき３以上の有効な固定通信装置を選択する装置選択ステップと、
選択された前記３以上の有効な固定通信装置の位置、および、選択された前記３以上の有効な固定通信装置と前記移動通信装置との間で無線通信された３以上の前記基準信号の受信点における電波強度に基づき、前記移動通信装置の位置を算出する位置算出ステップと、
を実行させ、
前記装置選択ステップでは、選択した前記３以上の有効な固定通信装置を頂点した多角形が、選択された前記基準パターンに対応する前記部分領域を全て含むように、前記３以上の有効な固定通信装置を選択する
プログラム。
【請求項９】
予め定められた位置に配置された複数の固定通信装置と、所定の送信パワーで出力される基準信号を前記複数の固定通信装置のそれぞれと無線通信する移動通信装置と、を備える位置検出システムに用いられる、前記移動通信装置の位置を算出する算出装置において実行される位置検出方法であって、
前記算出装置が、
前記複数の固定通信装置の中から、前記移動通信装置との間で無線通信された前記基準信号の受信点における電波強度が予め定められた範囲外となっている固定通信装置を除外した複数の有効な固定通信装置を特定する特定ステップと、
前記移動通信装置の位置を検出する対象領域を分割した複数の部分領域に一対一に対応した複数の基準パターンの中から、前記複数の固定通信装置と前記移動通信装置との間で無線通信された複数の前記基準信号の受信点における電波強度を表す測定パターンに最も近い１つの基準パターンを選択するパターン選択ステップと、
前記複数の有効な固定通信装置の中から、選択された前記基準パターンに対応する部分領域に基づき３以上の有効な固定通信装置を選択する装置選択ステップと、
選択された前記３以上の有効な固定通信装置の位置、および、選択された前記３以上の有効な固定通信装置と前記移動通信装置との間で無線通信された３以上の前記基準信号の受信点における電波強度に基づき、前記移動通信装置の位置を算出する位置算出ステップと、
を実行し、
前記装置選択ステップでは、選択した前記３以上の有効な固定通信装置を頂点した多角形が、選択された前記基準パターンに対応する前記部分領域を全て含むように、前記３以上の有効な固定通信装置を選択する
位置検出方法。
【手続補正２】
【補正対象書類名】明細書
【補正対象項目名】０００８
【補正方法】変更
【補正の内容】
【０００８】
上述した課題を解決し、目的を達成するために、本発明に係る位置検出システムは、予め定められた位置に配置された複数の固定通信装置と、所定の送信パワーで出力される基準信号を前記複数の固定通信装置のそれぞれと無線通信する移動通信装置と、前記複数の固定通信装置の中から、前記移動通信装置との間で無線通信された前記基準信号の受信点における電波強度が予め定められた範囲外となっている固定通信装置を除外した複数の有効な固定通信装置を特定する特定部と、前記移動通信装置の位置を検出する対象領域を分割した複数の部分領域に一対一に対応した複数の基準パターンの中から、前記複数の固定通信装置と前記移動通信装置との間で無線通信された複数の前記基準信号の受信点における電波強度を表す測定パターンに最も近い１つの基準パターンを選択するパターン選択部と、前記複数の有効な固定通信装置の中から、選択された前記基準パターンに対応する部分領域に基づき３以上の有効な固定通信装置を選択する装置選択部と、選択された前記３以上の有効な固定通信装置の位置、および、選択された前記３以上の有効な固定通信装置と前記移動通信装置との間で無線通信された３以上の前記基準信号の受信点における電波強度に基づき、前記移動通信装置の位置を算出する位置算出部と、を備え、前記装置選択部は、選択した前記３以上の有効な固定通信装置を頂点した多角形が、選択された前記基準パターンに対応する前記部分領域を全て含むように、前記３以上の有効な固定通信装置を選択する。
【国際調査報告】
2020021738.tif 000032
2020021738.tif 000033
2020021738.tif 000034
2020021738.tif 000035